【手続補正書】
【提出日】平成27年7月10日(2015.7.10)
【手続補正１】
【補正対象書類名】明細書
【補正対象項目名】００９３
【補正方法】変更
【補正の内容】
【００９３】
【表１】
2014521126.tif 000001
本発明の実施態様の一部を以下の項目［１］−［２４］に記載する。
[１]
光管理構成体であって、
第１主表面及び前記第１主表面と反対側の第２主表面を有する光学基材と、
前記光学基材の前記第１主表面上に配置された第１太陽光方向転換層であって、前記第１太陽光方向転換層は複数の多面屈折プリズムを含む第１微細構造化表面を含む、第１太陽光方向転換層と、
前記光学基材の前記第２主表面上に配置された第２太陽光方向転換層であって、前記第２太陽光方向転換層は複数の多面屈折プリズムを含む第２微細構造化表面を含む、第２太陽光方向転換層と
を含み、
前記第１太陽光方向転換層及び前記第２太陽光方向転換層が同一又は鏡像ではないように、前記第１微細構造化表面又は前記第２微細構造化表面の少なくとも一方が、複数の非対称屈折プリズムの秩序配列を含む、光管理構成体。
[２]
前記第１太陽光方向転換層及び前記第２太陽光方向転換層が同一又は鏡像ではないように、前記第１太陽光方向転換層が複数の非対称屈折プリズムの第１秩序配列を含み、前記第２太陽光方向転換層が複数の非対称屈折プリズムの第２秩序配列を含む、項目１に記載の光管理構成体。
[３]
複数の非対称屈折プリズムの前記第１及び第２秩序配列が周期的な配列を含み、前記周期的な配列の周期が同じであるか、又は互いに整数倍である、項目２に記載の光管理構成体。
[４]
前記第１太陽光方向転換層の前記非対称屈折プリズム、及び前記第２太陽光方向転換層の前記非対称屈折プリズムが同じ形状を含み、かつ前記周期がずれている、項目３に記載の光管理構成体。
[５]
少なくとも前記第１太陽光方向転換層が、第１主表面及び前記第１主表面と反対側の第２主表面を有する第１光学フィルムを含み、前記光学フィルムの前記第１主表面は非対称構造を含む微細構造化表面を含み、前記非対称構造が複数の多面屈折プリズムの秩序配列を含み、前記多面屈折プリズムのそれぞれの断面が少なくとも４つの面（面Ａ、Ｂ、Ｃ及びＤ）を含み、前記多面屈折プリズムのそれぞれの面Ａが前記光学基材の前記第１主表面と平行でありかつこれと隣接し、前記多面屈折プリズムのそれぞれの面Ｂが面Ａに接合され、水平の上で面Ａに対する垂線から５〜８０°の角度での前記光学基材の前記第２主表面上への入射光線の全内部反射を生成するように設計され、前記多面屈折プリズムのそれぞれの面Ｃが面Ａに接合され、前記多面屈折プリズムのそれぞれの面Ｄが面Ｃ及び面Ｂに接続され、かつ面Ｂから反射される光線を、面Ｂから離れかつ面Ｃ及び／又はＤに向かう方向に実質的に方向転換するように設計され、前記第１光学フィルムの前記第２主表面が前記光学基材に接着される、項目１に記載の光管理構成体。
[６]
前記非対称構造が、前記光学フィルムの前記第１主表面から、５０マイクロメートル〜２５０マイクロメートル突出する、項目５に記載の光管理構成体。
[７]
前記非対称構造が熱可塑性又は熱硬化性材料を含む、項目５に記載の光管理構成体。
[８]
前記第２太陽光方向転換層が、第１主表面及び前記第１主表面と反対側の第２主表面を有する第２光学フィルムを含み、前記第２光学フィルムの前記第１主表面が、複数の多面屈折プリズムを含む微細構造化表面を含み、前記第２光学フィルムの前記第２主表面が、前記光学基材に接着される、項目５に記載の光管理構成体。
[９]
前記第２光学フィルムの前記第１主表面が、複数の非対称多面屈折プリズムの秩序配列を含む、微細構造化表面を含む、項目８に記載の光管理構成体。
[１０]
前記第１光学フィルム及び前記第２光学フィルムの少なくとも一方が、光学的に透明な接着層により、前記光学基材に接着される、項目８に記載の光管理構成体。
[１１]
追加層を更に含む、項目１に記載の光管理構成体。
[１２]
前記追加層が、光学フィルム層、接着層、多層基材層、又はこれらの組み合わせの少なくとも１つを含む、項目１１に記載の光管理構成体。
[１３]
前記多層基材層が、赤外線反射層、赤外線吸収層、破断抵抗層、光拡散層、紫外線遮断層、偏光層、又はこれらの組み合わせを含む、項目１２に記載の光管理構成体。
[１４]
第１グレージング基材と、
前記第１グレージング基材に取り付けられた、光管理構成体とを含む物品であって、
前記光管理構成体は、
第１主表面及び前記第１主表面と反対側の第２主表面を有する光学基材と、
前記光学基材の前記第１主表面上に配置された第１太陽光方向転換層であって、前記第１太陽光方向転換層は複数の多面屈折プリズムを含む微細構造化表面を含む、第１太陽光方向転換層と、
第２太陽光方向転換層であって、前記光学基材の前記第２主表面上に配置された前記第２太陽光方向転換層は複数の多面屈折プリズムを含む微細構造化表面を含む、第２太陽光方向転換層とを含み、
前記第１太陽光方向転換層及び前記第２太陽光方向転換層が同一又は鏡像ではないように、前記第１微細構造化表面又は前記第２微細構造化表面の少なくとも一方が、複数の非対称屈折プリズムの秩序配列を含む、物品。
[１５]
前記第１太陽光方向転換層が、前記光学基材の前記第１主表面上に配置され、前記第２太陽光方向転換層が、前記光学基材の前記第２主表面上に配置され、前記第１太陽光方向転換層が、前記第１グレージング基材上に配置される、項目１４に記載の物品。
[１６]
前記第１太陽光方向転換層が、前記光学基材の前記第１主表面上に配置され、前記第２太陽光方向転換層が、前記光学基材の前記第２主表面上に配置され、前記第２太陽光方向転換層が、前記第１グレージング基材上に配置される、項目１４に記載の物品。
[１７]
前記第１太陽光方向転換層及び前記第２太陽光方向転換層が同一又は鏡像ではないように、前記第１太陽光方向転換層が複数の非対称屈折プリズムの第１秩序配列を含み、前記第２太陽光方向転換層が複数の非対称屈折プリズムの第２秩序配列を含む、項目１４に記載の物品。
[１８]
複数の非対称屈折プリズムの前記第１及び第２秩序配列が周期的な配列を含み、前記周期的な配列の周期が同じであるか、又は互いに整数倍である、項目１７に記載の物品。
[１９]
前記第１太陽光方向転換層の前記非対称屈折プリズム、及び前記第２太陽光方向転換層の前記非対称屈折プリズムが同じ形状を含み、かつ前記周期がずれている、項目１８に記載の物品。
[２０]
第２グレージング基材を更に含む、項目１４に記載の物品。
[２１]
前記第２グレージング基材が、前記第１グレージング基材上に配置される、項目２０に記載の物品。
[２２]
前記第２グレージング基材が、前記光管理構成体上に配置される、項目２０に記載の物品。
[２３]
前記第２グレージング基材が、前記第１グレージング基材と平行であり、空隙により前記第１グレージング基材から分離している、項目２０に記載の物品。
[２４]
前記光管理構成体が、前記空隙内に位置する、項目２３に記載の物品。
【手続補正２】
【補正対象書類名】特許請求の範囲
【補正対象項目名】全文
【補正方法】変更
【補正の内容】
【特許請求の範囲】
【請求項１】
光管理構成体であって、
第１主表面及び前記第１主表面と反対側の第２主表面を有する光学基材と、
前記光学基材の前記第１主表面上に配置された第１太陽光方向転換層であって、前記第１太陽光方向転換層は複数の多面屈折プリズムを含む第１微細構造化表面を含む、第１太陽光方向転換層と、
前記光学基材の前記第２主表面上に配置された第２太陽光方向転換層であって、前記第２太陽光方向転換層は複数の多面屈折プリズムを含む第２微細構造化表面を含む、第２太陽光方向転換層と
を含み、
前記第１太陽光方向転換層及び前記第２太陽光方向転換層が同一又は鏡像ではないように、前記第１微細構造化表面又は前記第２微細構造化表面の少なくとも一方が、複数の非対称屈折プリズムの秩序配列を含む、光管理構成体。
【請求項２】
前記第１太陽光方向転換層及び前記第２太陽光方向転換層が同一又は鏡像ではないように、前記第１太陽光方向転換層が複数の非対称屈折プリズムの第１秩序配列を含み、前記第２太陽光方向転換層が複数の非対称屈折プリズムの第２秩序配列を含む、請求項１に記載の光管理構成体。
【請求項３】
複数の非対称屈折プリズムの前記第１及び第２秩序配列が周期的な配列を含み、前記周期的な配列の周期が同じであるか、又は互いに整数倍である、請求項２に記載の光管理構成体。
【請求項４】
前記第１太陽光方向転換層の前記非対称屈折プリズム、及び前記第２太陽光方向転換層の前記非対称屈折プリズムが同じ形状を含み、かつ前記周期がずれている、請求項３に記載の光管理構成体。
【請求項５】
少なくとも前記第１太陽光方向転換層が、第１主表面及び前記第１主表面と反対側の第２主表面を有する第１光学フィルムを含み、前記光学フィルムの前記第１主表面は非対称構造を含む微細構造化表面を含み、前記非対称構造が複数の多面屈折プリズムの秩序配列を含み、前記多面屈折プリズムのそれぞれの断面が少なくとも４つの面（面Ａ、Ｂ、Ｃ及びＤ）を含み、前記多面屈折プリズムのそれぞれの面Ａが前記光学基材の前記第１主表面と平行でありかつこれと隣接し、前記多面屈折プリズムのそれぞれの面Ｂが面Ａに接合され、水平の上で面Ａに対する垂線から５〜８０°の角度での前記光学基材の前記第２主表面上への入射光線の全内部反射を生成するように設計され、前記多面屈折プリズムのそれぞれの面Ｃが面Ａに接合され、前記多面屈折プリズムのそれぞれの面Ｄが面Ｃ及び面Ｂに接続され、かつ面Ｂから反射される光線を、面Ｂから離れかつ面Ｃ及び／又はＤに向かう方向に実質的に方向転換するように設計され、前記第１光学フィルムの前記第２主表面が前記光学基材に接着される、請求項１に記載の光管理構成体。
【請求項６】
第１グレージング基材と、
前記第１グレージング基材に取り付けられた、光管理構成体とを含む物品であって、
前記光管理構成体は、
第１主表面及び前記第１主表面と反対側の第２主表面を有する光学基材と、
前記光学基材の前記第１主表面上に配置された第１太陽光方向転換層であって、前記第１太陽光方向転換層は複数の多面屈折プリズムを含む微細構造化表面を含む、第１太陽光方向転換層と、
第２太陽光方向転換層であって、前記光学基材の前記第２主表面上に配置された前記第２太陽光方向転換層は複数の多面屈折プリズムを含む微細構造化表面を含む、第２太陽光方向転換層とを含み、
前記第１太陽光方向転換層及び前記第２太陽光方向転換層が同一又は鏡像ではないように、前記第１微細構造化表面又は前記第２微細構造化表面の少なくとも一方が、複数の非対称屈折プリズムの秩序配列を含む、物品。